(57)【要約】【課題】管状体に取り付け固定できるとともに、管状体から取り外される際に粘着材を管状体に残存させない管状体用タグを提供する。【解決手段】本考案の管状体用タグは、識別情報を伴うタグ本体２と、タグ本体２から延びて管状体８０ａの周囲に巻回固定される巻回固定部４と、巻回固定部４の先端側を挿通させるための挿通部４０と、挿通部４０に挿通された巻回固定部４の挿通部位４ｃを管状体８０ａの周囲に巻回された巻回固定部４の巻回部位４ｂ上に接着するための接着部２０，２２とを有する。【選択図】  図４
0003216183.tif 000002
【実用新案登録請求の範囲】
【請求項１】
管状体に取り付け固定される管状体用タグであって、
識別情報を伴うタグ本体と、
前記タグ本体から延びるとともに管状体の周囲に巻回されて固定される巻回固定部と、
前記巻回固定部の先端側を挿通させるための挿通部と、
前記挿通部に挿通された前記巻回固定部の挿通部位を管状体の周囲に巻回された前記巻回固定部の巻回部位上に接着するための接着部と、
を有することを特徴とする管状体用タグ。
【請求項２】
前記接着部は、前記挿通部付近で前記巻回固定部の前記挿通部位を前記巻回部位上に接着固定するための第１の接着固定部と、前記挿通部位の先端を前記巻回部位上に接着固定するための第２の接着固定部とを有することを特徴とする請求項１に記載の管状体用タグ。
【請求項３】
前記挿通部が前記タグ本体と前記巻回固定部との接続領域にあることを特徴とする請求項１又は２に記載の管状体用タグ。
【請求項４】
前記巻回固定部が前記タグ本体の幅よりも狭い幅で延び、前記巻回固定部と前記タグ本体との間には、前記タグ本体とほぼ同じ幅で延びる延在部が介在し、前記延在部に前記挿通部が設けられることを特徴とする請求項３に記載の管状体用タグ。
【請求項５】
前記挿通部が長穴又はスリットとして形成されることを特徴とする請求項１から４のいずれか一項に記載の管状体用タグ。
【請求項６】
前記挿通部の端縁が丸みを帯びていることを特徴とする請求項５に記載の管状体用タグ。
【請求項７】
前記タグ本体は、識別情報を伴う識別体が挿入可能な挿入部を有することを特徴とする請求項１から６のいずれか一項に記載の管状体用タグ。
【請求項８】
前記接着部が両面テープにより形成されることを特徴とする請求項１から７のいずれか一項に記載の管状体用タグ。
【請求項９】
透明材料によって形成されることを特徴とする請求項１から７のいずれか一項に記載の管状体用タグ。
【考案の詳細な説明】
【技術分野】
【０００１】
本考案は、釣竿、ゴルフクラブ、アイスホッケーのスティック等のレジャー用品及びスポーツ用品を含む各種製品の全体又は一部を構成する管状体に取り付けられる管状体用タグに関し、特に、管状体を伴うタグ付けされる対象製品を他の製品から識別するためのタグに関する。
【背景技術】
【０００２】
物品には様々な目的でタグが取り付けられる場合がある。例えば、店頭に並べられて展示される製品には、その製品を他の製品と区別するためにタグが取り付けられる場合がある。
【０００３】
そのようなタグは製品に対して様々な形態で取り付けられる。例えば、店頭に並べられて販売される釣竿やゴルフクラブなどにおいては、釣竿の竿杆部位に又はゴルフクラブのシャフト部位に、粘着性の固定部材、例えば粘着テープ（セロハンテープ）などによってタグが取り付けられる場合がある。
【考案の概要】
【考案が解決しようとする課題】
【０００４】
しかしながら、粘着性の固定部材、例えば粘着テープなどによってタグを釣竿などの管状体に取り付ける場合には１つの問題が生じる。すなわち、管状体を伴う製品の販売後や使用時などにおいて不要となったタグを取り外した際に、タグが取り付けられていた管状体の部位に粘着材が残存し、その残存部位をユーザ等が手で触ったときに、ベタつくなどの不快感（粘着感）をユーザ等に与える場合がある。
【０００５】
本考案は、上記した問題に着目してなされたものであり、管状体に取り付け固定できるとともに、管状体から取り外される際に粘着材を管状体に残存させない管状体用タグを提供することを目的とする。
【課題を解決するための手段】
【０００６】
上記した目的を達成するために、本考案は、管状体に取り付け固定される管状体用タグであって、識別情報を伴うタグ本体と、前記タグ本体から延びるとともに管状体の周囲に巻回されて固定される巻回固定部と、前記巻回固定部の先端側を挿通させるための挿通部と、前記挿通部に挿通された前記巻回固定部の挿通部位を管状体の周囲に巻回された前記巻回固定部の巻回部位上に接着するための接着部とを有することを特徴とする。
【０００７】
上記した構成によれば、識別情報を伴うタグ本体に加えて、管状体の周囲に巻回されて固定される巻回固定部が設けられ、しかも、巻回固定部の先端側を挿通させるための挿通部と、挿通部に挿通された巻回固定部の挿通部位を管状体の周囲に巻回された巻回固定部の巻回部位上に接着するための接着部とが更に設けられるため、管状体に巻回固定部を巻回して接着部により巻回固定部を管状体に固定することによってタグを管状体に取り付け固定できることは勿論のこと、接着部が専ら巻回固定部同士を接着固定するためだけに使用され管状体に対して接着されないため、接着部が粘着剤を伴う場合であっても、タグを管状体から取り外した際に接着部の粘着材が管状体に残存しない。したがって、タグが取り付けられていた管状体の部位をユーザ等が手で触ったときに、ベタつくなどの不快感（粘着感）をユーザ等に与えないで済む。
【０００８】
また、上記構成において、挿通部は、該挿通部に挿通される巻回固定部の挿通部位の巻回方向を規定するため、この挿通部位を既に管状体の周囲に巻回された巻回固定部の巻回部位上に容易に且つ正確に重ね合わせることができる。したがって、管状体に接着部の粘着剤が付着することを防止できる。
【０００９】
また、上記構成において、接着部は、挿通部付近で巻回固定部の挿通部位を巻回部位上に接着固定するための第１の接着固定部と、挿通部位の先端を巻回部位上に接着固定するための第２の接着固定部とを有することが好ましい。第１の接着固定部に加えて更に第２の接着固定部を設けることにより、第１の接着固定部だけではタグを安定して管状体に固定できない場合であっても、第２の接着固定部によって管状体に対するタグの確実な固定を確保できる。したがって、挿通部が長穴やスリット等により形成され、第１の接着固定部による固定だけではタグが管状体に沿って摺動してしまうような場合には、挿通部の端縁などによって管状体の外面を擦って傷付けてしまう虞があるが、本考案の上記構成のように第１及び第２の接着固定部による二重固定を行えば、そのような不都合も確実に防止できる。
【００１０】
また、上記構成では、挿通部がタグ本体と巻回固定部との接続領域にあることが好ましい。この場合、巻回固定部がタグ本体の幅よりも狭い幅で延び、巻回固定部とタグ本体との間にタグ本体とほぼ同じ幅で延びる延在部が介在し、この延在部に挿通部が設けられることが更に好ましい。これによれば、延在部の少なくとも一部も管状体の周囲に巻回されることとなるが、巻回固定部の全長を有効に巻回固定に利用でき、タグ本体が巻回領域に巻き込まれることを防止できるとともに、巻回固定部を挿通させるために巻回固定部の幅以上の幅を有する必要がある挿通部の形成領域を延在部によって容易に確保できる。なお、このような構成においては、第１の接着固定部もタグ本体と巻回固定部との接続領域に設けられることが好ましい。これによれば、巻回固定部の根元を第１の接着固定部によって確実に保持固定でき、管状体に対する十分な巻回力を確保できる。
【００１１】
また、上記構成において、タグ本体は、識別情報を伴う識別体が挿入可能な挿入部を有することが好ましい。ここで、識別情報としては、管状体を伴う製品の製造業者の名称、製品の種類等を挙げることができる。また、識別情報は、タグ本体に印刷等によって直接に表示されてもよいが、前述のように識別情報を伴う識別体が挿入可能な挿入部をタグ本体が有する場合には、識別情報がタグ本体に直接に表示されていなくてもよく、逆に、表示されないことによりむしろ、識別体を交換するだけで様々な異なる製品に対してタグを再利用でき、有益である。
【００１２】
なお、上記構成において、挿通部は、周囲が閉じられるように画定される開口領域として、例えば長穴又はスリットとして形成されてもよいが、タグの端縁にまで達するように延びる切り欠き（スリット）として形成されてもよく、また、その形状も直線状に限らず、様々な形状を成すことができる。特に周囲が閉じられるように画定される開口領域として挿通部が形成される場合には、挿通部の端縁が丸みを帯びていることが好ましい。これにより、挿通部に対する巻回固定部のスムーズな挿通が可能になるとともに、挿通部の端縁によって管状体の外面を傷付けてしまうこともなくなる。
【００１３】
また、上記構成における接着部は一般に粘着剤を伴うが、本考案では、接着部が粘着剤を伴わなくても構わない。また、粘着剤を伴う接着部の例としては、例えば両面テープを挙げることができる。また、タグは、その少なくとも一部、好ましくは全部が透明材料によって形成されることが好ましい。透明材料で形成することにより、タグが製品としての管状体の外観の妨げとならないで済む。
【００１４】
また、上記構成において、巻回固定部の長さは、それが巻回される管状体の外径に応じて様々に設定され得る。また、上記構成において、タグが取り付け固定される管状体は、その名称から中空体を容易に想起し得るが、本考案では、管状体が中実であってもよいものとする。また、管状体の断面も、円形（円筒）、楕円、多角形、その他の異形状など、任意である。また、管状体としては、釣竿、ゴルフクラブのシャフト、アイスホッケーのスティック、テニスラケットのグリップなどのレジャー用品やスポーツ用品を挙げることができるが、これらに限定されず、タグを取り付け固定できる管状部を有するものであれば、どのようなものであっても構わない。また、管状体は、表面が塗装された状態、塗装されていない状態、糸巻きされた状態など、その表面状態がどのような状態であってもよい。
【考案の効果】
【００１５】
本考案によれば、管状体に取り付け固定できるとともに、管状体から取り外される際に粘着材を管状体に残存させない管状体用タグが得られる。
【図面の簡単な説明】
【００１６】
【図１】本考案の一実施形態に係る管状体用タグを管状体としての釣竿に取り付けた状態を示す全体図である。
【図２】識別体が仮想線で示される本考案の一実施形態に係る管状体用タグの平面図である。
【図３】（ａ）は管状体用タグの巻回固定部を管状体の外周面に沿わせて位置させた状態を示す平面図、（ｂ）は（ａ）の状態の断面図である。
【図４】挿通部付近で第１の接着固定部によって巻回固定部の挿通部位を巻回部位上に接着固定した状態を示す断面図である。
【図５】図４の状態から更に第２の接着固定部によって巻回固定部の挿通部位の先端を巻回部位上に接着固定した状態を示す断面図である。
【図６】本考案の第１の変形例に係る管状体用タグの平面図である。
【図７】本考案の第２の変形例に係る管状体用タグの平面図である。
【図８】本考案の第３の変形例に係る管状体用タグの平面図である。
【図９】本考案の第４の変形例に係る管状体用タグの平面図である。
【図１０】図９の管状体用タグの巻回状態の断面図であり、（ａ）は、挿通部切片を巻回固定部の巻回方向に折り返すようにシート材に押し付けて巻回固定部を管状体の外周面に巻回した状態の断面図、（ｂ）は挿通部切片を巻回固定部の巻回方向と反対の方向で延在させたまま管状体に当て付けて巻回固定部を管状体の外周面に巻回した状態の断面図である。
【考案を実施するための形態】
【００１７】
以下、図面を参照しながら本考案に係る管状体用タグについて説明する。
図１は、本考案の管状体用タグ（以下、単にタグという）１が管状体としての釣竿８０の竿杆８０ａに取り付け固定されている状態を概略的に示している。この場合、釣竿８０は、図示しない釣糸を挿通案内するための複数の釣糸ガイド９０を長手方向に沿って所定の間隔で有しており、タグ１は、釣糸ガイド９０と干渉しない竿杆８０ａの部位の外周に巻回状態で固定されている。なお、タグ１が取り付け固定される釣竿８０は、本実施形態では中空構造を成すが、中実構造を成していても構わない。
【００１８】
図２に示されるように、本考案の一実施形態に係るタグ１は、識別情報を伴うタグ本体２と、このタグ本体２からその幅（Ｗ１）方向に対して直交する横方向に延びるとともに竿杆８０ａの周囲に巻回されて固定される巻回固定部４と、巻回固定部４の先端側（先端４ａを含む所定の長さ部位）を挿通させるための挿通部４０と、巻回固定部４の互いに重ね合わされる部位同士を接着固定するための接着部とを有する。
【００１９】
この場合、前記接着部は、後述するように挿通部４０に挿通された巻回固定部４の挿通部位４ｃ（図４及び図５参照）を竿杆８０ａの周囲に巻回された巻回固定部４の巻回部位４ｂ（図４及び図５参照）上に接着するようになっており、具体的には、挿通部４０付近で巻回固定部４の挿通部位４ｃを巻回部位４ｂ上に接着固定するための第１の接着固定部２０と、挿通部位４ｃの先端（巻回固定部４の先端４ａ）を巻回部位４ｂ上に接着固定するための第２の接着固定部２２とを有する。
【００２０】
なお、本実施形態では、図２の平面の方向で見て、第１の接着固定部２０がタグ１の裏面側に設けられ、第２の接着固定部２２がタグ１の表面側に設けられる。しかしながら、両方の接着固定部２０，２２がタグ１の表面側又は裏面側にあっても構わない。また、各接着固定部２０，２２は、本実施形態では粘着剤を伴うが、粘着剤を伴わなくても構わない。粘着剤を伴う本実施形態の各接着固定部２０，２２は両面テープにより形成される。
【００２１】
また、本実施形態において、巻回固定部４はタグ本体２の幅Ｗ１よりも狭い幅Ｗ２で延び、また、巻回固定部４とタグ本体２との間には、タグ本体２とほぼ同じ幅で横方向に延びる延在部６が介在される。本実施形態では、この延在部６にタグ本体２と隣接して挿通部４０が設けられ、また、この挿通部４０に隣接して、言い換えると、タグ本体２と巻回固定部４との接続領域に、第２の接着固定部２２よりも横方向（図２の左右方向）寸法が大きい第１の接着固定部２０が設けられる。特に、本実施形態では、第１の接着固定部２０が延在部６及び巻回固定部４の両方にわたって延びている。これに対し、第１の接着固定部２０よりも横方向寸法が小さい第２の接着固定部２２は、巻回固定部４の先端４ａに隣接して設けられる。なお、巻回固定部４の長さは、それが巻回される竿杆８０ａの外径に応じて様々に設定され得る。
【００２２】
また、このような構成のタグ１は、例えば透明のシート材１０（例えば、ポリエステル、ポリプロピレン、ポリエチレン、ポリ塩化ビニル、紙、布などの素材により形成される）を折り曲げて溶着するとともに部分的に切り取ることによって形成される。具体的には、シート材１０がその一端側で折り返され、その折り返された折り返し部１０ｂが折り返されなかったシート材部位の一部と対向されてこの対向部１０ａと重ね合わされ、重ね合わされた端縁同士が例えば熱溶着される（本実施形態では、タグ本体２の幅（Ｗ１）方向に沿う全長にわたって熱溶着される熱溶着部１５）。これにより、折り返し部１０ｂと対向部１０ａとが重ね合わされて成るタグ本体２が形成される。
【００２３】
その後、熱溶着部１５からタグ本体２と反対側で横方向に所定の長さにわたって延びる延在部６としての残存部位１０ｃを残すように、タグ本体２の幅（Ｗ１）方向で残存部位１０ｃの両側を所定量カットし、延在部６の横方向端縁６ａを形成する。そして、この横方向端縁６ａから更にシート材１０をその他方側の端縁まで所定の幅Ｗ２を残して横方向に切り込む（図２には、その切り込んだ切断縁３０が示される）ことにより、所定の幅Ｗ２の横方向に延びる帯状部１０ｄが形成される。この帯状部１０ｄが巻回固定部４となる。
【００２４】
このようにして形成されるタグ１のタグ本体２は、本実施形態では、識別情報１０２を伴う紙製又はプラスチック製のタグカードなどの識別体１００が挿入可能な挿入部６５を有する。この挿入部６５は、前述の説明から明らかなように、互いに対向して重ね合わせ溶着される折り返し部１０ｂと対向部１０ａとによって形成される。ここで、識別情報１０２としては、釣竿８０の製造業者の名称、釣竿８０の種類等を挙げることができる。また、識別情報は、タグ本体２に印刷等によって直接に表示されてもよい。
【００２５】
また、延在部６、すなわち、タグ本体２と巻回固定部４との接続領域に設けられる挿通部４０は、本実施形態では、周囲が閉じられるように画定される開口領域としてタグ本体２の幅（Ｗ１）方向に沿って延びる長穴又はスリットを成す。しかしながら、挿通部４０の形態は、これに限定されず、例えば、タグ１の端縁にまで達するように延びる切り欠き（スリット）として形成されてもよく、また、その形状も直線状に限らず、様々な形状を成すことができる。また、このように形成される挿通部４０の両側の端縁４０ａは丸みを帯びている。
【００２６】
以上のように構成されるタグ１を釣竿８０の竿杆８０ａに取り付け固定する場合には、まず、図３に示されるように、タグ１の巻回固定部４を竿杆８０ａの外周面に沿わせて位置させ、その状態で、巻回固定部４を竿杆８０ａの外周に巻回させつつ巻回固定部４の先端４ａを含む先端側を挿通部４０に挿通させ、その挿通された巻回固定部４の挿通部位４ｃを竿杆８０ａの周囲に既に巻回されている巻回固定部４の巻回部位４ｂ上に第１の接着固定部２０を利用して接着する。その状態が図４に示される。その後、巻回固定部４の挿通部位４ｃを巻回部位４ｂ上に重ね合わせるように更に巻回し続け（このとき、延在部６の少なくとも一部も竿杆８０ａの周囲に巻回される）、第２の接着固定部２２を利用して挿通部位４ｃの先端４ａを巻回部位４ｂ上に接着固定する。その状態が図５に示される。
【００２７】
以上説明したように、本実施形態によれば、識別情報１０２を伴うタグ本体２に加えて、竿杆８０ａの周囲に巻回されて固定される巻回固定部４が設けられ、しかも、巻回固定部４の先端側を挿通させるための挿通部４０と、挿通部４０に挿通された巻回固定部４の挿通部位４ｃを竿杆８０ａの周囲に巻回された巻回固定部４の巻回部位４ｂ上に接着するための接着部２０，２２とが更に設けられるため、竿杆８０ａに巻回固定部４を巻回して接着部２０，２２により巻回固定部４を竿杆８０ａに固定することによってタグ１を竿杆８０ａに取り付け固定できることは勿論のこと、接着部２０，２２が専ら巻回固定部４同士を接着固定するためだけに使用され竿杆８０ａに対して接着されないため、本実施形態のように接着部４０が粘着剤を伴う場合であっても、タグ１を竿杆８０ａから取り外した際に接着部２０，２２の粘着材が竿杆８０ａに残存しない。したがって、タグ１が取り付けられていた竿杆８０ａの部位をユーザ等が手で触ったときに、ベタつくなどの不快感（粘着感）をユーザ等に与えないで済む。
【００２８】
また、本実施形態において、挿通部４０は、該挿通部４０に挿通される巻回固定部４の挿通部位４ｃの巻回方向を規定するため、この挿通部位４ｃを既に竿杆８０ａの周囲に巻回された巻回固定部４の巻回部位４ｂ上に容易に且つ正確に重ね合わせることができる。したがって、竿杆８０ａに接着部２０，２２の粘着剤が付着することを防止できる。
【００２９】
また、本実施形態において、接着部は、挿通部４０付近で巻回固定部４の挿通部位４ｃを巻回部位４ｂ上に接着固定するための第１の接着固定部２０と、挿通部位４ｃの先端を巻回部位４ｂ上に接着固定するための第２の接着固定部２２とを有している。このように、第１の接着固定部２０に加えて更に第２の接着固定部２２を設けると、第１の接着固定部２０だけではタグ１を安定して竿杆８０ａに固定できない場合であっても、第２の接着固定部２２によって竿杆８０ａに対するタグ１の確実な固定を確保できる。したがって、本実施形態のように挿通部４０が長穴やスリット等により形成され、第１の接着固定部２０による固定だけではタグ１が竿杆８０ａに沿って摺動してしまうような場合には、挿通部４０の端縁４０ａなどによって竿杆８０ａの外面を擦って傷付けてしまう虞があるが、本実施形態のように第１及び第２の接着固定部２０，２２による二重固定を行えば、そのような不都合も確実に防止できる。特に、本実施形態では、挿通部４０の端縁４０ａが丸みを帯びているため、竿杆８０ａの外面の傷付き防止に寄与し得るとともに、挿通部４０に対する巻回固定部４のスムーズな挿通も可能になる。
【００３０】
また、本実施形態では、挿通部４０がタグ本体２と巻回固定部４との接続領域、具体的には延在部６に設けられているため、巻回固定部４の全長を有効に巻回固定に利用でき、タグ本体２が巻回領域に巻き込まれることを防止できるとともに、巻回固定部４を挿通させるために巻回固定部４の幅以上の幅を有する必要がある挿通部４０の形成領域を延在部６によって容易に確保できる。また、本実施形態では、第１の接着固定部２０もタグ本体２と巻回固定部４との接続領域（延在部６）に設けられているため、巻回固定部４の根元を第１の接着固定部２０によって確実に保持固定でき、竿杆８０ａに対する十分な巻回力を確保できる。
【００３１】
また、本実施形態において、タグ本体２は、識別情報１０２を伴う識別体１００が挿入可能な挿入部６５を有するため、識別体１００を交換するだけで様々な異なる製品に対してタグ１を再利用できる。また、本実施形態のタグ１はその全体が透明材料によって形成されるため、タグ１が製品としての竿杆８０ａの外観の妨げとならないで済む。
【００３２】
なお、図面を参照して本考案の一実施形態を説明してきたが、本考案は、前述した実施形態に限定されず、その要旨を逸脱しない範囲で種々変形して実施できる。例えば、前述した実施形態では、巻回固定部４が１つのみであったが、巻回固定部の数は任意に設定できる。例えば、図６に示されるタグ１Ａのように、タグ本体２から延びる巻回固定部４を２つ設け、各巻回固定部４にそれぞれ対応して挿通部４０を設けてもよい。また、前述した実施形態では、挿通部４０が長穴であったが、挿通部４０の形態はこれに限らない。例えば図７に示されるタグ１Ｂのように挿通部が幅Ｗ１方向に延びるスリット４０Ａであってもよく、又は、図８に示されるタグ１Ｃのように、このスリットの両端からそれぞれタグ本体２へ延びる切り込みが入れられた切り欠き４０Ｂとして挿通部が形成されて、挿通部切片（切り欠き片）１０ｅが巻回固定部４側で開くようになっていてもよい。
【００３３】
或いは、図９に示されるタグ１Ｄのように、スリットの両端からそれぞれ巻回固定部４へ延びる切り込みが入れられた切り欠き４０Ｃとして挿通部が形成されて、挿通部切片（切り欠き片）がタグ本体２側で開くようになっていてもよい。この場合、図１０の（ａ）に示されるように、挿通部切片１０ｅを巻回固定部４の巻回方向に折り返すようにシート材１０に押し付けて巻回固定部４を竿杆８０ａの外周面に巻回すると、挿通部切片１０ｅが起き上がろうとする力が働き、タグ１が竿杆８０ａの表面に押し付けられる。これに対し、図１０の（ｂ）に示されるように、挿通部切片１０ｅを巻回固定部４の巻回方向と反対の方向で延在させたまま竿杆８０ａに当て付けて巻回固定部４を竿杆８０ａの外周面に巻回すると、竿杆８０ａに対するシート材１０全体の接触面積が増え、タグ１の固定力が増大する。
【００３４】
また、前述の実施形態ではタグが管状体としての釣竿に取り付けられているが、タグが取り付けられる管状体は釣竿に限らない。例えば、ゴルフクラブのシャフト、アイスホッケーのスティック、テニスラケットのグリップなどのレジャー用品やスポーツ用品などに対しても本考案のタグを適用できる。
【符号の説明】
【００３５】
１  管状体用タグ
２  タグ本体
４  巻回固定部
４ａ  先端
４ｂ  巻回部位
４ｃ  挿通部位
６  延在部
２０  第１の接着固定部（接着部）
２２  第２の接着固定部（接着部）
４０  挿通部
４０ａ  端縁
６５  挿入部
８０  釣竿（管状体）
８０ａ  竿杆（管状体）
１００  識別体
１０２  識別情報
【図１】
0003216183.tif 000003
【図２】
0003216183.tif 000004
【図３】
0003216183.tif 000005
【図４】
0003216183.tif 000006
【図５】
0003216183.tif 000007
【図６】
0003216183.tif 000008
【図７】
0003216183.tif 000009
【図８】
0003216183.tif 000010
【図９】
0003216183.tif 000011
【図１０】
0003216183.tif 000012